【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
自動式吸入弁（５）の閉止体（５ｂ）の移動を、クランク回転のサイクルの少なくとも一部にわたって、制御デバイス（２）により駆動されるアンローダ（６）によって制御して、往復動圧縮機の送出量を制御する方法であって、
前記方法は、連続可変逆流調整法を備え、該連続可変逆流調整法によると、前記クランク回転のサイクルの第１区間（Ｋ１）の間、前記アンローダ（６）は、前記閉止体（５ｂ）に接触するように配置されて、前記閉止体（５ｂ）が閉鎖されることを防止し、かつ前記クランク回転のサイクルの第２区間（Ｋ２）の間、前記アンローダ（６）は、前記閉止体（５ｂ）から離間する方向に戻るように駆動されて、前記閉止体（５ｂ）は閉鎖され、
前記方法は、休止調整法をさらに備え、該休止調整法によると、前記アンローダ（６）は、前記クランク回転のサイクルの全体の間、前記閉止体（５ｂ）が閉鎖されることを防止し、
前記送出量は、連続可変逆流調整法および休止調整法の少なくとも組み合わせによって調整され、
前記連続可変逆流調整法を用いる間、前記閉止体（５ｂ）は、前記制御デバイス（２）および前記アンローダ（６）によって制御されて、前記往復動圧縮機の圧力弁（８）の閉止体（８ｂ）が、少なくともクランク回転の所定の最低限の総開放角度（Ｋｖ）にわたって開放される方法。
【請求項２】
少量の送出量のために、前記吸入弁（５）は、特定のサイクルの間、前記圧力弁（８）の閉止体（８ｂ）が最低限以上の開放角度を有するように、休止調整法によって開放されて維持されることを特徴とする請求項１に記載の方法。
【請求項３】
前記所定の総開放角度（Ｋｖ）は、少なくとも１０度であることを特徴とする請求項２に記載の方法。
【請求項４】
前記吸入弁（５）は、前記往復動圧縮機の圧力弁（８）の閉止体（８ｂ）が、上死点（ＯＴＰ）および下死点（ＵＴＰ）の前に、少なくともクランク回転の所定の角度範囲（Δ）にわたって開放されるように、前記制御デバイス（２）および前記アンローダ（６）によって制御されることを特徴とする請求項３に記載の方法。
【請求項５】
前記所定の角度範囲（Δ）は、少なくとも１０度であることを特徴とする請求項４に記載の方法。
【請求項６】
前記往復動圧縮機の圧縮空間内の圧力（Ｐ）の推移は、測定されること及び計算されることの少なくとも一方を実施され、前記圧力（Ｐ）の推移が、少なくともクランク回転の所定の総開放角度（Ｋｖ）にわたって、前記圧力弁（８）の開放圧力より高い圧力（Ｐ）を有するように、前記制御デバイス（２）は、クランク回転の少なくとも１つのサイクルにわたり、前記圧力（Ｐ）の推移に応じて、連続可変逆流調整法または休止調整法によって、前記アンローダ（６）を調節して、前記圧力弁（８）は、前記総開放角度（Ｋｖ）にわたって、自動的に開放されることを特徴とする請求項１乃至５のいずれか一項に記載の方法。
【請求項７】
クランク回転の複数のサイクルの間、前記送出量は、連続可変逆流調整法のみによって、または休止調整法のみによって調整されることを特徴とする請求項１乃至６のいずれか一項に記載の方法。
【請求項８】
多量の送出量のために、前記吸入弁（５）は、複数の連続するサイクルの間、自動的に駆動されることを特徴とする請求項１乃至７のいずれか一項に記載の方法。
【請求項９】
種々の送出量が調整され、多量の送出量のために、前記吸入弁（５）は、特定のサイクルの間、自動的に駆動され、かつ特定のサイクルの間、連続可変逆流調整法により駆動され、中量の送出量のために、前記吸入弁（５）は、全てのサイクルの間、連続可変逆流調整法により駆動され、少量の送出量のために、前記吸入弁（５）は、特定のサイクルの間、休止調整法によって、連続的に開放されて維持され、かつ特定のサイクルの間、連続可変逆流調整法によって駆動されることを特徴とする請求項１乃至８のいずれか一項に記載の方法。
【請求項１０】
所定回数のサイクルが終了するたびに、休止調整法によって調整が実施されることを特徴とする請求項１乃至９のいずれか一項に記載の方法。
【請求項１１】
前記制御デバイス（２）は、前記アンローダ（６）を駆動する電磁石（２ａ）を備え、前記連続可変逆流調整法において、前記電磁石（２ａ）は、前記クランク回転の第１区間（Ｋ１）の間、前記アンローダ（６）を前記閉止体（５ｂ）に接触させて配置して、前記閉止体（５ｂ）が閉鎖されることを防止するように、制御され、かつ前記アンローダ（６）は、移動する閉止体（５ｂ）が、前記吸入弁（５）上に配置される前に減速するように、前記クランク回転の第２区間（Ｋ２）において閉鎖される間、前記閉止体（５ｂ）の移動を制御することを特徴とする請求項１乃至１０のいずれか一項に記載の方法。
【請求項１２】
前記制御デバイス（２）は、前記アンローダ（６）を駆動する駆動機構（２ｎ）を備え、該駆動機構（２ｎ）は、前記アンローダ（６）の移動を減衰させる調節可能な減衰機構（２ｏ）を備え、前記連続可変逆流調整法において、前記駆動機構（２ｎ）は、前記クランク回転の第１区間（Ｋ１）の間、前記アンローダ（６）を前記閉止体（５ｂ）に接触させて配置して、前記閉止体（５ｂ）が閉鎖されることを防止するように調節され、かつ前記アンローダ（６）は、移動する閉止体（５ｂ）が、前記吸入弁（５）上に配置される前に減速されるように、前記クランク回転の第２区間（Ｋ２）において閉鎖される間、前記閉止体（５ｂ）の移動を制御することを特徴とする請求項１乃至１０のいずれか一項に記載の方法。
【請求項１３】
前記吸入弁（５）上に配置されている間、前記閉止体（５ｂ）は、０．１ｍ／ｓ未満の速度を有することを特徴とする請求項１１又は１２に記載の方法。
【請求項１４】
前記閉止体（５ｂ）が配置された後において、前記クランク回転の第３区間（Ｋ３）の間、前記制御デバイス（２）は、前記アンローダ（６）を再度加速し、次に停止させて、前記アンローダ（６）を前記閉止体（５ｂ）から離間させ、かつ前記アンローダ（６）を端部位置まで移動させる請求項１１乃至１３のいずれか一項に記載の方法。
【請求項１５】
前記制御デバイス（２）は、前記アンローダ（６）の行程（Ａ）および速度（Ｃ）を調整する適応フィードフォワード制御を実施することを特徴とする請求項１１乃至１４のいずれか一項に記載の方法。
【請求項１６】
送出量を調整する往復動圧縮機であって、前記往復動圧縮機は、前記往復動圧縮機の少なくとも１つの自動式吸入弁（５）上に配置されたアンローダ（６）と、前記アンローダ（６）を駆動するための制御デバイス（２）と、前記吸入弁（５）の閉止体（５ｂ）とを備え、前記アンローダ（６）は、前記吸入弁（５）が前記往復動圧縮機の作動行程の制御可能な一部にわたって開放されるように、前記閉止体（５ｂ）に作用する往復動圧縮機において、
前記制御デバイスは、連結手段（７）を介して前記アンローダ（６）に作用する駆動機構（２ｎ）を備え、
前記制御デバイス（２）は連続可変逆流調整法を実施可能に構成され、連続可変逆流調整法において、前記アンローダ（６）は、クランク回転のサイクルの第１区間（Ｋ１）の間、前記閉止体（５ｂ）に接触するように配置されて、前記閉止体（５ｂ）が閉鎖されることを防止し、かつ前記アンローダ（６）は、前記クランク回転のサイクルの第２区間（Ｋ２）の間、前記閉止体（５ｂ）から離間する方向に戻るように駆動されて、前記閉止体（５ｂ）は閉鎖され、
前記制御デバイス（２）は、さらに、休止調整法を実施可能に構成され、休止調整法において、前記アンローダ（６）は、クランク回転の全サイクルの間、前記閉止体（５ｂ）が閉鎖されることを防止し、
前記制御デバイス（２）は、前記アンローダ（６）が前記連続可変逆流調整法および前記休止調整法の２つの異なる方法によって作動させられるように構成されることを特徴とする往復動圧縮機。
【請求項１７】
前記駆動機構（２ｎ）は、電磁石（２ａ）の形態を有することを特徴とする請求項１６に記載の往復動圧縮機。
【請求項１８】
前記駆動機構（２ｎ）は、駆動部（２ｗ）および調節可能な減衰機構（２ｏ）を備え、前記減衰機構（２ｏ）は、前記駆動部（２ｗ）の移動を減衰させるように構成されて、配置されることを特徴とする請求項１６に記載の往復動圧縮機。
【請求項１９】
前記制御デバイス（２）は、前記往復動圧縮機の圧縮空間内の圧力（Ｐ）の推移を測定すること及び計算することの少なくとも一方を実施するための機構を備え、前記制御デバイス（２）は、自走方式、または逆流調整法、または休止調整法によって、前記アンローダ（６）を介して、前記閉止体（５ｂ）を駆動して、圧力弁（８）を、総開放角度（Ｋｖ）にわたって、自動的に開放することを特徴とする請求項１６乃至１８のいずれか一項に記載の往復動圧縮機。
【請求項２０】
前記制御デバイス（２）は前記駆動機構（２ｎ）の変位を検出するセンサ（２ｈ）を備え、前記制御デバイス（２）は、前記閉止体（５ｂ）が前記吸入弁（５）上に配置される前に減速するように、前記駆動機構（２ｎ）、および前記アンローダ（６）を調節して、減速した速度で前記閉止体（５ｂ）を前記吸入弁（５）上に配置することを特徴とする請求項１６又は１９に記載の往復動圧縮機。
【請求項２１】
調整機構（２ｉ）は、前記アンローダ（６）の行程（Ａ）および速度（Ｃ）の制御変数から前記電磁石（２ａ）の制御信号を生成するために、適応フィードフォワード制御機構を備えることを特徴とする請求項１７に記載の往復動圧縮機。
【請求項２２】
前記電磁石（２ａ）は、移動可能な磁石固定具（２ｂ）と、固定して配置された磁心（２ｃ）と、磁気コイル（２ｄ）とを備えたソレノイドであって、前記連結手段（７）は、前記磁石固定具（２ｂ）に固定して連結され、前記磁石固定具（２ｂ）は、前記連結手段（７）の延在方向に沿って移動可能に取り付けられることを特徴とする請求項１７又は２１に記載の往復動圧縮機。
【請求項２３】
前記減衰機構（２ｏ）は電気的に調節可能であり、該減衰機構（２ｏ）は、電気レオロジー液体または磁気レオロジー液体を備えることを特徴とする請求項１８に記載の往復動圧縮機。
【手続補正２】
【補正対象書類名】明細書
【補正対象項目名】０００１
【補正方法】変更
【補正の内容】
【０００１】
本発明は、往復動圧縮機の送出量を制御する方法に関する。本発明は、さらに、送出量制御機能を備える往復動圧縮機に関する。
【手続補正３】
【補正対象書類名】明細書
【補正対象項目名】０００６
【補正方法】変更
【補正の内容】
【０００６】
本発明によって解決される課題は、往復動圧縮機の送出量を制御するためのより有利な方法および送出量を調整する往復動圧縮機を提供することにある。
【手続補正４】
【補正対象書類名】明細書
【補正対象項目名】０００７
【補正方法】変更
【補正の内容】
【０００７】
この課題は、本発明の一実施形態による方法によって解決される。さらに、上述の問題は、別の実施形態による往復動圧縮機によって解決される。
【手続補正５】
【補正対象書類名】明細書
【補正対象項目名】０００８
【補正方法】変更
【補正の内容】
【０００８】
特に、上述の問題は、自動吸入弁の閉止体の移動を、クランク回転サイクルの少なくとも一部にわたって、制御デバイスにより駆動されるアンローダによって制御して、往復動圧縮機の送出量を制御する方法によって解決され、当該方法は、連続可変逆流調整法を備え、該連続可変逆流調整法において、クランク回転サイクルの第１区間の間、アンローダは、閉止体に接触するように配置されて、閉止体が閉鎖されることを防止し、かつクランク回転サイクルの第２区間の間、アンローダは、閉止体から離間する方向に戻るように駆動されて、閉止体は閉鎖され、該方法は、休止調整法をさらに備え、該休止調整法において、アンローダは、クランク回転のサイクルの全体の間、閉止体が閉鎖されることを防止し、送出量が、連続可変逆流調整法および休止調整法の少なくとも組み合わせによって調整され、連続可変逆流調整法を用いる間、閉止体は、制御デバイスおよびアンローダによって制御されて、往復動圧縮機の圧力弁の閉止体が、少なくともクランク回転の所定の最低限の総開放角度にわたって開放される。